(57)【要約】【課題】キャンバスを載置する架台の後側を利用して、特に寸法の大きいキャンバスを載置して支持することができる絵画用イーゼルを提供する。【解決手段】基台１に立設した支柱５，５が、基台１に対して垂直状態から上端が後方へ傾斜した角度で支持固定され、支柱５，５の下部に受台１３が設けられ、支柱５，５に沿ってスライド可能に取り付けられる架台１６の上端に押え部材１９が設けられている絵画用イーゼルであって、基台１の後端部に、キャンバス等の板状絵画素地３０の下端縁３１を係合させて支持する支承部２０が設けられ、架台１６の上端に後方へ突出して設けられた押え部材１９ｂと支承部２０との間に板状絵画素地３０を支持するように構成されている。【選択図】　　　　図２
2004081741.tif 000002
【特許請求の範囲】
【請求項１】
基台に立設した支柱が、前記基台に対して垂直状態から上端が後方へ傾斜した角度で支持固定され、前記支柱の下部に受台が設けられ、前記支柱に沿ってスライド可能に取り付けられる架台の上端に押え部材が設けられている絵画用イーゼルであって、
前記基台の後端部に、キャンバス等の板状絵画素地の下端縁を係合させて支持する支承部が設けられ、
前記架台の上端に後方へ突出して設けられた前記押え部材と前記支承部との間に前記板状絵画素地を支持するように構成されていることを特徴とする絵画用イーゼル。
【請求項２】
前記支承部が、前記基台の後端部に上向きに開口して形成した凹溝である請求項１記載の絵画用イーゼル。
【請求項３】
前記支承部が、前記基台の後端部に上向きに突設した係止突片である請求項１記載の絵画用イーゼル。
【請求項４】
前記架台の上端に設けられる前記押え部材が、前記架台の前方へ突出する第１の押え部材と、前記架台の後方へ突出する第２の押え部材とを有していることを特徴とする請求項１、２又は３記載の絵画用イーゼル。
【請求項５】
前記架台の上端に設けられる前記押え部材が、通常は前記架台の前方へ突出する単一の押え部材であって、前記支柱に対する前記架台の取り付けを前後逆向きにすることで前記押え部材が前記架台の後方へ突出するように構成されていることを特徴とする請求項１、２又は３記載の絵画用イーゼル。
【発明の詳細な説明】
【０００１】
【発明の属する技術分野】
本発明は、絵画用イーゼルに関し、特に架台の後側に寸法の大きいキャンバス等の板状絵画素地を載置するのに適した絵画用イーゼルに関する。
【０００２】
【従来の技術】
この種の絵画用イーゼルには種々のタイプのものがあるが、基台に立設した支柱が、前記基台に対して垂直状態から上端が後方へ傾斜した角度で支持固定され、前記支柱の下部に受台が設けられ、前記支柱に沿ってスライド可能に取り付けられる架台の上端に押え部材が設けられているものが最も代表的である。
【０００３】
【発明が解決しようとする課題】
本発明は、上述した従来の絵画用イーゼルに簡単な構成を付加するだけで、キャンバス等の板状絵画素地を載置する架台の後側を利用して、特に寸法の大きい板状絵画素地を支持することができる絵画用イーゼルを提供することを目的とする。
【０００４】
【課題を解決するための手段】
上記目的を達成するために、本発明は、基台に立設した支柱が、前記基台に対して垂直状態から上端が後方へ傾斜した角度で支持固定され、前記支柱の下部に受台が設けられ、前記支柱に沿ってスライド可能に取り付けられる架台の上端に押え部材が設けられている絵画用イーゼルであって、前記基台の後端部に、キャンバス等の板状絵画素地の下端縁を係合させて支持する支承部が設けられ、前記架台の上端に後方へ突出して設けられた前記押え部材と前記支承部との間に前記板状絵画素地を支持するように構成されていることを特徴とする。
【０００５】
前記支承部は、具体的には前記基台の後端部に上向きに開口して形成した凹溝が好ましい。また、前記基台の後端部に上向きに突設した係止突片であってもよい。
【０００６】
前記押え部材は、前記架台の前方へ突出する第１の押え部材と、前記架台の後方へ突出する第２の押え部材との一対から成ることが好ましい。また、前記押え部材は、通常は前記架台の前方へ突出する単一の押え部材であって、前記支柱に対する前記架台の取り付けを前後逆向きにすることで、前記押え部材が前記架台の後方へ突出するように構成することも可能である。
【０００７】
【発明の実施の形態】
以下、本発明の好適な実施の形態を図面に基づいて説明する。
【０００８】
図１は、本発明による絵画用イーゼルを示しており、図２は、同イーゼルの使用状態を示している。基台１は、前後方向へ平行して延びる一対の脚台２，２を横杆３，３によりその前後両端部を連結して形成され、各脚台２の底部両端には移動用のキャスタ４，４が取り付けられている。
【０００９】
基台１に立設する２本の支柱５，５は、下端部がそれぞれ脚台２，２の内側中央部位に枢支ピン６，６を介して回動自在に連結され、かつ、２本の支持杆７，７により基台１に対して垂直状態から上端が後方へ傾斜した角度で支持固定されるようになっている。各支持杆７は、下端部が脚台２の後側部内側に枢支ピン８を介して連結されると共に、上端部が各支柱５に設けられた上下方向に延びる長孔９に挿通したボルト１０に連結されていて、該ボルト１０に螺着したナット（図示せず）を弛めてボルト１０の固定位置を長孔９に沿って調整することにより、基台１に対する支柱５，５の傾斜角度を変更して支持固定できるようになっている。また、両支柱５，５の上下両端部及び中間部を横棧１１により連結して後述する架台１６を案内支持する枠体１２が形成されており、該枠体１２の下側部に支柱５，５の前側へ突出する受台１３が上下方向へ位置調整可能に設けられている。該受台１３は、操作ハンドル１４の回転操作により、枠体１２の横棧１１，１１間に配設した案内軸１５に沿って昇降し、枠体１２、すなわち支柱５，５に対して上下方向の位置を調整変更して固定し得るようになっている。このような受台１３の昇降装置は従来のイーゼルと同一の構造であるから、詳細については説明を省略する。
【００１０】
枠体１２の両支柱５，５に沿って上下方向へスライド可能に取り付けられる架台１６は、複数の縦杆１７と横杆１８とにより枠状体に形成され、縦杆１７の上端に押え部材１９が固着されている。押え部材１９は、架台１６の前方、すなわち両支柱５，５の前側へ突出する第１の押え部材１９ａと、架台１６の後方、すなわち両支柱５，５の後側へ突出する第２の押え部材１９ｂとから成っている。
【００１１】
一方、基台１を構成する脚台２，２の後端部には、キャンバス等の板状絵画素地３０の下端縁３１を係合させて支持する支承部２０として、Ｖ字形の凹溝が上向きに開口して設けられている。該支承部２０は、図５に示すように、各脚台２の後端部に上向きに突設した係止突片２１により形成することも可能である。
【００１２】
次に、上記構成を有する本発明のイーゼルの使用について説明する。
【００１３】
通常の使用においては、図２及び図３に示すように、キャンバス等の板状絵画素地３０の下端縁３１を受台１３に載置し、上端縁３２を架台１６の前方へ突出する第１の押え部材１９ａで押えて、架台１６の前側において受台１３と第１の押え部材１９ａとの間にキャンバス３０を支持固定して使用する。
【００１４】
一方、本発明によれば架台１６の後側を利用して寸法の大きなキャンバス等の板状絵画素地３０を載置して使用することが可能である。すなわち、図２及び図４に示すように、キャンバス３０の下端縁３１を凹溝から成る支承部２０に係合させて支持すると共に、上端縁３２を架台１６の後方へ突出する第２の押え部材１９ｂで押えて、架台１６の後側において支承部２０と第２の押え部材１９ｂとの間にキャンバス３０を支持固定して使用する。
【００１５】
なお、上述した実施の形態においては、架台１６の上端に設ける押え部材１９を架台１６の前方へ突出する第１の押え部材１９ａと架台１６の後方へ突出する第２の押え部材１９ｂとから成る一対として設けたが、従来のイーゼルと同様に架台１６の前方へ突出する単一の押え部材１９を設け、枠体８、すなわち両支柱５，５に対する架台１６の取り付け姿勢を前後逆向き変更することで、該押え部材１９を架台１６の後方へ突出する押え部材として使用することも可能である。
【００１６】
【発明の効果】
以上説明したように、本発明によれば、架台の前側は従来のイーゼルと同様に受台と押え部材との間に種々の寸法のキャンバス等板状絵画素地を支持固定できるものでありながら、基台の後端部に設けた支承部と前記架台の上端に設けた後方へ突出する押え部材とにより、前記架台の後側に別のキャンバス等板状絵画素地を支持固定することができ、特に寸法の大きな板状絵画素地を支持することができる。したがって、前記架台の後側の空間を有効に利用して大きなキャンバスを載置することが可能となり、大変便利である。
【００１７】
しかも、構造が簡単で、製作加工も容易であり、安価に提供することができる。
【図面の簡単な説明】
【図１】本発明による絵画用イーゼルの斜視図である。
【図２】同上イーゼルの使用状態を示す側面図である。
【図３】同上イーゼルの使用状態を前側からみた斜視図である。
【図４】同上イーゼルの使用状態を後側からみた斜視図である。
【図５】同上イーゼルの別の実施形態を示す基台要部の側面である。
【符号の説明】
１　基台
２　脚台
３　横杆
５　支柱
７　支持杆
１２　枠体
１３　受台
１６　架台
１９　押え部材
１９ａ　第１の押え部材
１９ｂ　第２の押え部材
２０　支承部（凹溝）
２１　係止突片
３０　キャンバス等の板状絵画素地
３１　下端縁
３２　上端縁
【図１】
2004081741.tif 000003
【図２】
2004081741.tif 000004
【図３】
2004081741.tif 000005
【図４】
2004081741.tif 000006
【図５】
2004081741.tif 000007